(57)【要約】【課題】主に中〜大型犬の飼育に供される動物用小屋について、風雨対策や通気性、手入れの容易性など、基本的な性能要求を十分に満足しつつ、収容空間の広さと高級な質感を同時に備えた新規の構成を提供する。【解決手段】本発明の動物用小屋１は、箱体に切妻屋根を載せた全体形状を有し、出入口は妻壁の間口略全体にわたって設けられ、その出入口の片側に外方へ回動する開き戸式の子扉３７が設けられるとともに、平壁には、横方向に摺動して開閉する無双連子窓５３が、外側から操作可能に設けられている。【選択図】図２
2008307030.tif 000002
【特許請求の範囲】
【請求項１】
略四辺形の床と、該床の四辺を囲む壁とを備え、一つの壁に出入口を有してなる動物用小屋において、上記出入口が設けられた壁に隣接する二つの壁に、横方向に摺動して開閉する無双連子窓が、外側から開閉操作しうるように設けられたことを特徴とする動物用小屋。
【請求項２】
請求項１に記載の動物用小屋において、出入口は、該出入口が設けられる壁の間口略全体にわたって開口するとともに、該出入口の片側には外方に回動する開き戸式の子扉が設けられたことを特徴とする動物用小屋。
【請求項３】
請求項１又は２に記載の動物用小屋において、床が略長方形状をなし、壁は床の短辺側に相対して立設される一対の妻壁と、床の長辺側に相対して立設される一対の平壁とからなり、出入口は一つの妻壁に設けられ、無双連子窓は相対する平壁に設けられるとともに、妻壁及び平壁の上部には、妻壁及び平壁の外方まで張り出す切妻形の屋根が設けられたことを特徴とする動物用小屋。
【請求項４】
請求項２又は３に記載の動物用小屋において、子扉を閉扉状態で拘束するラッチ部材が子扉の裏側に取り付けられるとともに、子扉を開扉状態で拘束する掛け金が子扉の表側に取り付けられたことを特徴とする動物用小屋。
【請求項５】
請求項１〜４のいずれか一項に記載の動物用小屋において、無双連子窓は、該無双連子窓が設けられる壁の間口略半分の範囲で開口するように設けられるとともに、相対する壁の無双連子窓は、互いの開口部分が平面視対角状をなすように配置されたことを特徴とする動物用小屋。
【請求項６】
請求項１〜５のいずれか一項に記載の動物用小屋において、出入口に相対する壁の頂部に通気窓が設けられたことを特徴とする動物用小屋。
【請求項７】
請求項３〜６のいずれか一項に記載の動物用小屋において、出入口側の妻面における屋根のけらばの出寸法が、反対側の妻面におけるけらばの出寸法よりも大きくなされたことを特徴とする動物用小屋。
【請求項８】
請求項３〜７のいずれか一項に記載の動物用小屋において、妻壁及び平壁は、互いに隅部にて接合可能な妻壁パネル及び平壁パネルによってそれぞれ構成されるとともに、床は簀子状の床パネルによって構成され、該床パネルは上記妻壁パネル又は平壁パネルの下端より高い位置に取り付けられた床受材上に着脱自在に載架されて出入口から取り出せることを特徴とする動物用小屋。
【請求項９】
請求項８に記載の動物用小屋において、屋根は、棟にて二分された二枚の屋根パネルと、該二枚の屋根パネルの頂部に被せられる棟押え材とによって構成され、該棟押え材は、断面略山形の棟木と、その両端に取り付けられる鬼板とからなり、該鬼板は棟木の木口面と腹面とに対して固着されたことを特徴とする動物用小屋。
【請求項１０】
請求項９のいずれか一項に記載の動物用小屋において、屋根パネルの両妻側端部に破風板が取り付けられ、該破風板は流れ方向における下部五分の一乃至三分の一程度の下縁部が、下方に向かって曲線状に膨出した形状を有することを特徴とする動物用小屋。
【発明の詳細な説明】
【技術分野】
【０００１】
本発明は、主として一般家庭の戸外で犬その他の動物を飼育するのに供される動物用小屋に関する。
【背景技術】
【０００２】
従来の犬小屋は、略四辺形の床の四周を壁で囲み、その壁に屋根を載せて内側に収容空間を形成し、壁のいずれかに犬の出入口を設けたものが一般的である。この種の犬小屋には、基本的性能として、風雨を防ぐこと、風通しが良く臭いがこもらないこと、夏は涼しく冬は温かいこと、内部の掃除がしやすいことなどが要求される。かかる性能要求に配慮した犬小屋は、例えば特許文献１〜４等に開示されている。
【特許文献１】特開２００１−２０４２８９号公報
【特許文献２】特開平２−１３５０３２号公報
【特許文献３】実用新案登録第３０７３６６５号公報
【特許文献４】実用新案登録第３０２６６４４号公報
【発明の開示】
【発明が解決しようとする課題】
【０００３】
近年、ペットブームの高揚により、室内で小型犬を飼育するケースが増加する一方、戸外では中〜大型犬を飼育するケースも増えている。後者のケースでは、犬の体格に応じた大きめの犬小屋が必要になるが、一般家庭では犬小屋の設置場所に余裕がないことも多いので、必要な設置スペースに比して小屋内空間の有効サイズをできるだけ大きくすることが望まれる。
【０００４】
また、近年では特に純血・高級犬種への人気が増大しているが、そのような犬種を好む飼育者は、自身が居住する住宅と同様に、犬小屋にも高級感や重厚感を求める傾向がある。したがって、外観意匠や質感についての改善も望まれるところである。
【０００５】
本発明は上記のような事情に鑑みてなされたものであって、主に中〜大型犬の飼育に供されるタイプの動物用小屋について、風雨対策や通気性、手入れの容易性など、基本的な性能要求を十分に満足しつつ、小屋内空間の広さと高級な質感を同時に備えた新規の構成を提供することを目的とする。
【課題を解決するための手段】
【０００６】
上記目的を達成するため、本発明の動物用小屋は、略四辺形の床と、該床の四辺を囲む壁とを備え、一つの壁に出入口を有してなる動物用小屋において、上記出入口が設けられた壁に隣接する二つの壁に、横方向に摺動して開閉する無双連子（むそうれんじ）窓が、外側から開閉操作しうるように設けられたことを特徴とする。
【０００７】
無双連子窓とは、一定幅の板材を一定の隙間を設けて縦に組んだ連子（れんじ）によって壁開口を形成し、その内側又は外側に同形状の連子を重ねて引き戸式に取り付けた窓形式をいう。引き戸式の連子を横方向に摺動させると、板材の隙間が拡縮して、開口面積が無段階に変化する。この無双連子窓を、蒸し暑い時期には開放し、雨天時や強風時、厳寒期には閉じることにより、小屋内の環境を常に快適に維持することができる。無双連子窓の開閉操作はきわめて簡単であり、周囲に開閉のための広いスペースを要することもないので、その分、小屋内空間を大きく確保することができる。
【０００８】
さらに、本発明の動物用小屋は、上記出入口が、該出入口が設けられる壁の間口略全体にわたって開口するとともに、該出入口の片側には外方に回動する開き戸式の子扉が設けられたことを特徴とする。出入口は通常、動物が落ち着きやすいように子扉を閉じた状態で利用されるが、蒸し暑い時期や内部を掃除する際には子扉が開放される。
【０００９】
上記の構成に係る動物用小屋の実用的な形状としては、床が略長方形状をなし、壁は床の短辺側に相対して立設される一対の妻壁と、床の長辺側に相対して立設される一対の平（ひら）壁とからなり、出入口は一つの妻壁に設けられ、無双連子窓は相対する平壁に設けられるとともに、妻壁及び平壁の上部には、妻壁及び平壁の外方まで張り出す切妻形の屋根が設けられるのが好ましい。この構成によれば、切妻形の屋根によって良好な雨除け性能が得られるとともに、外観的にも美しく安定感のあるプロポーションが形成される。
【００１０】
上記の構成に係る動物用小屋において、子扉を閉扉状態で拘束するラッチ部材と子扉を開扉状態で拘束する掛け金を取り付けることにより、閉扉時及び開扉時に子扉が暴れるのを防ぐことができる。
【００１１】
無双連子窓は、その開口範囲が壁の間口略全体にわたるように設けられてもよいが、構造・強度的な事情やコスト面での制約等により、壁の間口略半分程度の範囲で開口するように設けられることもあり得る。この場合は、相対する壁の無双連子窓を、互いの開口部分が平面視対角状をなすように配置することにより、小屋内空間の換気効率を向上させることができる。
【００１２】
入口に相対する壁の頂部には通気窓が設けられてもよい。これにより、特に夏期、屋根裏部分にこもりがちな暖気の排出が促進される。
【００１３】
また、屋根形状については、出入口側の妻面における屋根のけらばの出寸法が、反対側の妻壁におけるけらばの出寸法よりも大きくなるのが好ましい。低い位置に出入口が開口する妻面についてはけらばの出寸法を大きめに確保し、出入口のない反対側の妻面はけらばの出寸法を小さくすることにより、良好な雨除け性能を確保しつつ、全体としてのスペース効率も向上させることができる。
【００１４】
本発明の動物用小屋は、妻壁及び平壁を、互いに隅部にて接合可能な妻壁パネル及び平壁パネルによってそれぞれ構成するとともに、床を簀子状の床パネルによって構成することにより、組立て・分解を容易にすることができる。この構成において、床パネルが上記妻壁パネル又は平壁パネルの下端より一定寸法だけ高い位置に取り付けられた床受材上に着脱自在に載架されて出入口から取り出せるものとすることにより、小屋内の掃除、特に最も汚れやすい床を取り出して掃除するのが容易になる。
【００１５】
さらに、屋根を、棟にて二分された二枚の屋根パネルと、該二枚の屋根パネルの頂部に被せられる棟押え材とによって構成することにより、屋根の組立て・分解も容易になる。この構成において、棟押え材を、断面略山形の棟木と、その両端に取り付けられる鬼板とによって構成し、該鬼板は棟木の木口面と腹面とに対して固着することにより、棟押え材自体の部材強度が向上する。
【００１６】
さらに、本発明の動物用小屋は、屋根パネルの両妻側端部に破風板が取り付けられ、該破風板は流れ方向における下部五分の一乃至三分の一程度の下縁部が、下方に向かって曲線状に膨出した形状を有することを特徴とする。この形状によって屋根の破風部分に重厚感が付与され、全体として高級・高質な印象の外観が形成される。
【発明の効果】
【００１７】
上述のように構成される本発明の動物用小屋は、比較的安価に製造し得る構造でありながら、風雨対策や通気性、手入れの容易性など、基本的な性能要求を十分に満たし、さらに小屋内空間の広さと高級な質感を備えたものとなるので、特に中〜大型の高級犬種の飼育者に対して大きな満足度を与える。
【発明を実施するための最良の形態】
【００１８】
以下、本発明の実施の形態について図を参照して説明する。
【００１９】
図１〜図６は本発明の実施形態に係る動物用小屋を示す。この動物用小屋１は、略四辺形の平面形状をなす箱体の上部に切妻形の屋根を設けたものである。箱体は、床面を構成する床パネル２と、床パネル２の短辺側に対設されて妻壁を構成する一対の妻壁パネル３、４と、床パネル２の長辺側に対設されて平壁を構成する一対の平壁パネル５、５とからなる。また、屋根は、棟を挟んで両側に傾斜する二枚の屋根パネル７、７と、該二枚の屋根パネル７、７の頂部に被せられる棟押え材８とによって構成される。これらのパネル等は全て木製で、互いに組み合わせてボルト・ナットや木ねじ等により結合される。以下、各部の構造について詳述する。
【００２０】
床パネル２は、床面における長辺の中央で二枚の床パネル半体２１、２１に分割されている。床パネル半体２１は、図５、図７等に示すように、帯状の床板２２を複数枚、若干の隙間を設けて床面の短辺方向に並設し、下面に複数本の根太２３を裏打ちした簀子状をなしている。隅部には切欠部２４が形成されている。
【００２１】
妻壁パネル３、４は、出入口を有する側と、その反対側とでは構造が若干相違する。出入口を有する側の妻壁パネル３は、図１、図２、図５、図８等に示すように、両側部に配された縦桟木３１、３１の間に、出入口の上下を囲む上枠３２及び下枠３３と、頂部が山形をなす壁板３４を張設し、裏面の両側部には隅受木３５、３５を添設して形成されている。壁板３４は、横方向に配した帯板を実矧ぎ（さねはぎ）、相决り（あいじゃくり）等の板継手（図６の添図参照）によって接合し、裏面に補強桟３６を裏打ちして形成されている。出入口は、妻壁パネル３４の間口略全体にわたって開口し、その片側には間口の三分の一程度の幅を有する開き戸式の子扉３７が取り付けられている。子扉３７は、左右の縦框材３７１、３７１の間に壁板３４と同様の板継手による障子３７２を張設して形成され、片側の縦框材３７１が蝶番３８を介して片側の縦桟木３１に取り付けられている。子扉３７の裏側には、子扉３７を閉扉状態で拘束するラッチ部材３９１が取り付けられている。また、子扉３７の表側には子扉３７を開扉状態で拘束する掛け金３９２が取り付けられている。
【００２２】
出入口を有しない側の妻壁パネル４は、図６、図９等に示すように、両側部に配された縦桟木４１、４１の間に壁板４４を張設し、裏面の両側部には隅受木４５、４５を添設して形成されている。壁板４４の板継手構造は、上記した出入口を有する側の妻壁パネル３の壁板３４と同様である。頂部には、補強桟４６をかわすようにして略三角形状の通気窓４７が形成されている。
【００２３】
平壁パネル５、５は二枚とも同じ構造で、図５、図６、図１０等に示すように、両側部に配された縦桟木５１、５１間の略下半部に壁板５２を張設し、略上半部に無双連子窓５３を取り付けて形成されている。壁板５２は、妻壁パネルの壁板３４と同様の板継手により形成されている。無双連子窓５３は、上枠５４と下枠５５との間に板状の連子子（れんじこ）５６を複数枚、該連子子５６の幅よりもやや狭い隙間で組んで連子となし、この連子によって壁開口を形成するとともに、その外側に、同様に組んだ連子を引き戸式に取り付けたものである。外側の連子は、上框５７及び下框５８の間に複数枚の連子子５９を組んで形成されている。上框５７及び下框５８は、壁開口側の上枠５４及び下枠５５にそれぞれ重ねて取り付けられた上下のレール部材６１、６２の溝に係合して保持され、外側の連子は少なくとも連子子５９の幅だけ横方向に摺動する。これにより、隙間の数だけの開口面を無段階で開閉することができる。開閉操作は、外側の連子に取り付けられた把手６３を利用して外側から簡単に行うことができる。例示形態にかかる無双連子窓５３は、平壁パネル５の間口略半分にわたって設けられ、相対する平壁パネル５の無双連子窓５３は床面上で対角位置となるように配置されている。
【００２４】
妻壁パネル３、４と平壁パネル５とは、図５に示すように、隅部にて互いに直交するように突き合わされ、妻壁パネル３、４の裏面に添設された隅受木３５、４５に対して平壁パネル５の縦桟木５１、５１をボルト・ナット締結することにより、箱状に組み立てられる。平壁パネル５の裏面には、下端から数センチ程度の高さに床受材６４が添設されており、図６に示すように、この床受材６４上に床パネル２が載架されて床面が構成される。床パネル２は、持ち上げるだけで簡単に取り外すことができる。
【００２５】
屋根パネル７は、図１、図２、図６、図１１等に示すように、平板状の裏板７１に図示しない防水シート等を重ね、その上に帯状の葺き板７２を階段状に葺き重ねて形成されている。裏板７１の裏面には、屋根パネル７を妻壁パネル３、４及び平壁パネル５、５の上に載架する際の位置決め部材７３が取り付けられている。図４に示すように、屋根パネル７を載架した状態では、出入口側のけらばの出寸法Ｐが、反対側のけらばの出寸法Ｑよりもやや大きくなるように設定されている。これにより、低い位置で大きく開口した出入口への雨の吹き込みを防ぎやすくなる。屋根パネル７の両妻側端部には化粧用の破風板７４が取り付けられている。破風板７４の流れ方向における下部五分の一〜三分の一程度の部分は、その下縁部を下方に向かって曲線状に膨出させた形状に形成されている。
【００２６】
二枚の屋根パネル７、７が合掌する頂部には棟押え材８が被せられる。棟押え材８は、図１２等に示すように、断面略山形の棟木８１の両端に略五角形状の鬼板８２を取り付けて形成されている。鬼板８２は二枚の板片を重ねて、あるいは厚目の板辺の一部を切り欠いて形成され、棟木８１の木口面と腹面とに対して鋲釘等により接合されている。
【００２７】
このように構成される本発明の動物用小屋１は、妻壁の出入口の脇に設けられた子扉３７と、相対する平壁に設けられた無双連子窓５３の開閉により、小屋内環境を季節や天候に応じて快適に調節することができる。子扉３７や無双連子窓５３の開閉操作はきわめて簡単であり、周囲に広いスペースも要しないので、小屋内空間の有効サイズを十分に確保することができる。各パネル類の組立て、分解、手入れも容易である。また、木材からなる部材をしっかりと組み合わせて構成された各部の納まりにより、全体として優れた強度と高級な質感を備えたものとなる。
【００２８】
なお、上記実施形態に示した構成は一例であり、各部における部材の接合形態や、詳細な加工形状、補強構造等については、発明の主旨を逸脱しない範囲で適宜改変可能である。
【図面の簡単な説明】
【００２９】
【図１】本発明の実施形態に係る動物用小屋の全体形状を示す斜視図であって、子扉及び無双連子窓を閉じた状態を示す。
【図２】同じく、上記動物用小屋の全体形状を示す斜視図であって、子扉及び無双連子窓を開いた状態を示す。
【図３】上記動物用小屋を出入口側から見た正面図である。
【図４】上記動物用小屋の右側面図である。
【図５】上記図４に示す動物用小屋のＡ−Ａ位置における横断面図である。
【図６】上記図４に示す動物用小屋のＢ−Ｂ位置における縦断面図である。
【図７】上記動物用小屋における床パネルの表裏形態を示す斜視図である。
【図８】上記動物用小屋における出入口側の妻壁パネルの表裏形態を示す斜視図である。
【図９】上記動物用小屋における他方の妻壁パネルの表裏形態を示す斜視図である。
【図１０】上記動物用小屋における平壁パネルの表裏形態を示す斜視図である。
【図１１】上記動物用小屋における屋根パネルの表裏形態を示す斜視図である。
【図１２】上記動物用小屋における棟押え材の表裏形態を示す斜視図である。
【符号の説明】
【００３０】
１  動物用小屋
２  床パネル
３  妻壁パネル
３７  子扉
３９１  ラッチ部材
３９２  掛け金
４  妻壁パネル
４７  通気窓
５  平壁パネル
５３  無双連子窓
６４  床受材
７  屋根パネル
７４  破風板
８  棟押え材
８１  棟木
８２  鬼板
【図１】
2008307030.tif 000003
【図２】
2008307030.tif 000004
【図３】
2008307030.tif 000005
【図４】
2008307030.tif 000006
【図５】
2008307030.tif 000007
【図６】
2008307030.tif 000008
【図７】
2008307030.tif 000009
【図８】
2008307030.tif 000010
【図９】
2008307030.tif 000011
【図１０】
2008307030.tif 000012
【図１１】
2008307030.tif 000013
【図１２】
2008307030.tif 000014